(57)【特許請求の範囲】
【請求項１】
先端ジブと基端ジブからなる二段ジブを固定するための装置であって、先端ジブ先端に設けられたレバーと、先端ジブの後端にジブ内外方向に移動可能となるように保持された先端に凸部を有する差し込み部と、基端ジブ先端に設けられた凹部及び案内板を有する受け部と、前記差し込み部が前記凹部内にないときに凹部内に突出する突起部を有する表示器と、その一端が前記レバーに、他の一端を前記差し込み部にそれぞれ連結されたケーブルとを有し、先端ジブを伸長させた状態で、前記ケーブルを介して前記レバーを差し込み部の凸部を押し下げる方向に作動させることにより、差し込み部先端の凸部が受け部の凹部と嵌合し、あるいは、前記ケーブルを介して前記レバーを予め作動させて差し込み部の凸部を押し下げておき、先端ジブが伸張した状態で差し込み部先端の凸部が案内板の斜面を乗り上げて受け部の凹部と嵌合するようになっており、差し込み部と受け部が嵌合したことを前記突起部が押し下げられることにより前記表示器が表示するようになっていることを特徴とする二段ジブの固定装置。
【請求項２】
基端ジブの後端に設けられた凹部を有する第二の受け部を具備し、先端ジブが格納された状態で、レバーを作動させることによりケーブルを介して差し込み部を移動させ、差し込み部先端の凸部が第二の受け部の凹部と嵌合するようになっていることを特徴とする請求項１記載の二段ジブの固定装置。
【発明の詳細な説明】
【０００１】
【発明の属する技術分野】
本発明は、基端ジブの中に格納されている先端ジブを引き出して用いる二段ジブにおいて先端ジブを基端ジブに固定する固定装置に関するものである。
【０００２】
【従来の技術】
二段ジブをホイールクレーンのブーム先端に取り付ける際、最初に先端ジブが基端ジブに格納された状態で基端ジブの基端部を先端ブームの先端に取り付けておき、先端ジブを基端ジブから引き出して先端ジブの後端と基端ジブの先端とを固定ピンでピン孔に貫通させて固定していた。
【０００３】
【発明が解決しようとする課題】
ところが、図７で示すジブとブームとの取付角度（α）が１８０度より小さい場合には、先端ジブを引き出した状態で、先端ジブの先端が地上にくるようにするために、ブーム先端を持ち上げた状態でジブを保持する必要があった。そのため、先端ジブと基端ジブとを固定するためのピン孔の位置は地上よりかなり高い位置となり、足場などを使用してピンを固定しなければならず、高所での作業となるためピンの固定作業が困難で、危険を伴うものであった。
そこで本発明は安全かつ容易に二段ジブを固定することのできる二段ジブの固定装置を提供することを目的とする。
【０００４】
【課題を解決するための手段】
このような問題を解決するために、本発明は次のような二段ジブの固定装置を採用した。すなわち請求項１記載の発明にかかる二段ジブの固定装置は、先端ジブと基端ジブからなる二段ジブを固定するための装置であって、先端ジブ先端に設けられたレバーと、先端ジブの後端にジブ内外方向に移動可能となるように保持された先端に凸部を有する差し込み部と、基端ジブ先端に設けられた凹部及び案内板を有する受け部と、前記差し込み部が前記凹部内にないときに凹部内に突出する突起部を有する表示器と、その一端が前記レバーに、他の一端を前記差し込み部にそれぞれ連結されたケーブルとを有し、先端ジブを伸長させた状態で、前記ケーブルを介して前記レバーを差し込み部の凸部を押し下げる方向に作動させることにより、差し込み部先端の凸部が受け部の凹部と嵌合し、あるいは、前記ケーブルを介して前記レバーを予め作動させて差し込み部の凸部を押し下げておき、先端ジブが伸張した状態で差し込み部先端の凸部が案内板の斜面を乗り上げて受け部の凹部と嵌合するようになっており、差し込み部と受け部が嵌合したことを前記突起部が押し下げられることにより前記表示器が表示するようになっていることを特徴とするものである。
【０００５】
次に請求項２記載の発明にかかる二段ジブの固定装置は、請求項１記載の二段ジブの固定装置において、基端ジブの後端に設けられた凹部を有する第二の受け部を具備し、先端ジブが格納された状態で、レバーを作動させることによりケーブルを介して差し込み部を移動させ、差し込み部先端の凸部が第二の受け部の凹部と嵌合するようになっていることを特徴とするものである。
【０００６】
【発明の実施の形態】
（実施例１）
本発明に係る二段ジブの固定装置の一実施例（実施例１）について説明する。図１〜図３は、実施例１の先端ジブを伸長したときに、先端ジブを基端ジブにどのように固定するかを説明するための図である。
図１は、先端ジブが完全に伸長される少し前の状態を示す図である。図２は、先端ジブが完全に伸長されているが、まだロックはされていない状態を示す図であり、図３は、図２の状態からロックされたときの状態を示す図である。
【０００７】
図１に示すように本実施例は、先端ジブ３０の先端部にレバー１００が、先端ジブ３０の後端に差し込み部１２０がそれぞれ設けられており、コントロールケーブル１１０の一端がレバー１００に他の一端が差し込み部１２０にそれぞれ連結されていて、基端ジブ４０の先端に受け部１４０が設けられている。
【０００８】
レバー１００はその根元部をピンで回動可能にジブ本体に支持されており、レバー１００の突起部１０１の先端にコントロールケーブル１１０の一端が連結されている。図１、図２はレバー１００をジブ先端側に倒した状態を示しており、図３はレバー１００をジブ後端側に倒した状態を示している。
差し込み部１２０は、図２に示すように一端をピン止めされ回動可能なクリック１２３と、そのクリック１２３の突起部１２４にピン止めされ支持部１２７に支持されたスプリング１２９付差し込み棒１２８とによって構成されており、クリック１２３の突起部１２４には、コントロールケーブル１１０の一端が取り付けられている。
図１、２に示す状態では、レバー１００がジブ先端側に倒されているので、コントロールケーブル１１０はスプリング１２９の反発力に抗してクリック１２３を引き上げており、クリック１２３の先端は先端ジブ３０の外板位置まで引き上げられている。
受け部１４０は、図２に示すように基端ジブ４０先端の下部に設けられており、止め金１４１と側板１４２及び案内板１４３によって構成されており、止め金１４１と側板１４２とによって凹部が形成されている。
【０００９】
そして受け部１４０の下方にはジブがロックされたときに、それを表示するための表示器１５０が設けられている。図３に示すように表示器１５０はピン１５２によって回動可能に支持され突起部１５１を有する板１５３と、その一端をピン１５４で板１５３に支持され別のピン１５５によってジブ本体に回動可能に支持された表示板１５６と、板１５３が上向きに回動するように板１５３に取り付けられたスプリング１５７とによって構成されている。
【００１０】
このような固定装置を用いて先端ジブ３０を基端ジブ４０から完全に伸長させた状態で固定するには次のようにする。
まずレバー１００を図１に示すように、ジブ先端側に倒しておくと、コントロールケーブル１１０がレバー側に引っ張られるので、クリック１２３が引き上げられた状態となっている。レバー１００をジブ先端側に倒した状態のまま先端ジブ３０を格納状態から引き出していくと、先端ジブ３０が完全に引き出される少し前では、図１に示すようになる。
先端ジブが、完全に引き出されると、図２に示すように、差し込み部１２０のクリック１２３の先端の凸部が受け部１４０の凹部と対応するようになっている。
この図２に示す状態で、レバー１００をジブ後端側に倒すと、コントロールケーブル１１０が伸びるので、クリック１２３の先端の凸部がスプリング１２９によって受け部１４０の凹部に押しつけられて、先端ジブ３０と基端ジブ４０とがロック（固定）される。
このようにクリック１２３が受け部１４０の凹部に押しつけられると、クリック１２３先端が表示器１５０の突起部１５１を下に押し下げ、板１５３がピン１５２を中心として、下向きに回転するので、それまで伏せた状態にあった表示板１５６が図３に示すように起立した状態となる。このように表示器１５０の表示板１５６が起立状態となると、ジブの固定位置から離れた位置で先端ジブ先端のレバー１００を操作している作業員でも、起立した表示板１５６を見てジブがロックされたことを確認できる。
【００１１】
以上実施例１について、先端ジブを伸長させた状態で先端ジブ３０と基端ジブ４０とを固定する方法について述べたが、この他にレバー１００を予めジブ後端側に倒して差し込み部１２０のクリック１２３の先端がジブの外側に飛び出した状態としておき、その状態で先端ジブ３０を引き出して行くと、クリック１２３の先端が受け部１４０の案内板１４３の斜面を乗り上げてクリック１２３の先端が受け部１４０の止金１４１と側板１４２とで形成された凹部に押しつけられてロック（固定）されるので、このようにしてもよい。
【００１２】
次に先端ジブ３０を引き出して固定された状態を解除するには次のようにする。
図２に示すようにレバー１００をジブ先端側に倒すとコントロールケーブル１１０が引っ張られてクリック１２３を内側に引っ込めるので、クリック１２３が受け部１４０の凹部から外れ先端ジブが格納可能な状態となる。
【００１３】
（実施例２）
この他に固定装置として図４に示すようなものを用いてもよい。
すなわち、この差し込み部１６０は差し込み棒１６２とスプリング１６４から成っており、差し込み棒１６２の先端部１６３は円柱形をしている。受け部１７０には、差し込み棒先端部１６３と嵌合する孔１７１が設けられている。
図４に示す固定装置によって、伸長時にジブを固定するには、次のようにする。
▲１▼ 先端ジブ３０を引き出す前に、レバー１００をジブ先端側に倒すと、コントロールケーブル１１０がジブ先端側に引っ張られるので、差し込み棒先端部１６３は、先端ジブ３０の外板位置まで引き上げられる。
▲２▼  次にレバー１００をそのままにして、先端ジブを伸長して完全に伸長した位置まで引き出すと図４aに示す状態となる。
▲３▼  次にレバー１００をジブ後端側に倒すと、コントロールケーブル１１０が伸びるので、スプリング１６４の力によって差し込み棒先端部１６３が受け部の孔１７１に嵌合してジブが固定される。
あるいは、▲１▼先端ジブ３０を引き出す前にレバー１００をジブ後端側に倒して差し込み棒先端部１６３をジブ外板より外に飛び出さしておき、▲２▼次にレバーをそのままにして、先端ジブを完全に伸長し、差し込み棒先端部１６３が受け部の案内板の斜面を昇って行って孔１７１に嵌合するようにしてもよい。
【００１４】
（実施例３）
次に先端ジブ格納時に先端ジブ３０を基端ジブ４０に固定する固定装置について説明する。この固定装置は、先端ジブ３０の後端には実施例１の差し込み部１２０と同様のものが取り付けられており、これに対応する受け部１８０が基端ジブ４０の後端に取り付けられている。
図５はジブ格納時に先端ジブ３０の後端と基端ブームの後端とが固定された状態を示したものであり、図５ａは全体の側面図、図５ｂは図５ａのＡの箇所の拡大図であり図５ｃは、図５ｂのＢ−Ｂ矢視図である。図５ｂ、ｃに示すように、基端ジブ後端に設けられた受け部１８０の鍵状突起１８１と嵌合するようになっている。図５に示す差し込み部が、図２に示す差し込み部１２０と異なるのは、図５ではクリック１２３の下面に切欠部１３０がもうけられている点のみであり、他は同じである。
図５に示す固定装置によって格納時にジブを固定するには次のようにする。
▲１▼  格納する前にレバー１００をジブ先端側に倒しておくとクリック１２３は先端ジブ３０の外板位置まで引き上げられる。
▲２▼  レバー１００をそのままにして先端ジブを押し込み、格納位置でレバー１００をジブ後端側に倒すと、コントロールケーブル１１０が伸びてクリック１２３が外側へ飛び出し、図５ｂに示すようにクリック１２３の切欠部１３０が受け部１８０の鍵状突起１８１に係合して固定される。
この他に▲１▼格納する前にレバー１００をジブ後端側に倒してクリック１２３の先端を先端ジブ３０の外板より飛び出さした状態としておき、▲２▼レバー１００をそのままにして先端ジブを押し込み、クリック１２３の先端が受け部１８０の鍵状突起１８１の斜面を乗り上げて、クリック１２３の切欠部１３０を鍵状突起１８１に係合させて固定するようにしてもよい。
【００１５】
（実施例４）
この他に図６に示すように、実施例２の差し込み部１６０を用いた場合には、この差し込み部１６０に対応する受け部１９０が基端ジブ４０の後端に設けられている。
図６に示すように、受け部１９０には、差し込み棒先端部１６３に嵌合する孔１９１が設けられており、レバー１００の操作によって差し込み棒先端部１６３を受け部１９０の孔１９１に嵌合させてジブをロックするようになっている。
また先端ジブ３０を引き出した状態でレバー１００をジブ後端側に倒して差し込み棒先端部１６３をジブ外板より突出させておき、先端ジブ３０を押し込んで、差し込み棒先端部１６３が受け部１９０先端の斜面を乗り上げて行って孔１９１に嵌合して固定するようにしてもよい。
【００１６】
【発明の効果】
本発明に係る二段ジブの固定装置は、先端ジブの先端に設けたレバーを作動させることによって二段ジブの固定ができるようにしたので、作業者が地上で安全に作業でき、レバーを操作するだけで簡単に固定できるので二段ジブの固定作業が容易である。
【図面の簡単な説明】
【図１】本発明に係る二段ジブの固定装置の一実施例において、先端ジブを伸長した状態で固定する際の作動を説明するための第１図である。
【図２】本発明に係る二段ジブの固定装置の一実施例において、先端ジブを伸長した状態で固定する際の作動を説明するための第２図である。
【図３】本発明に係る二段ジブの固定装置の一実施例において、先端ジブを伸長した状態で固定する際の作動を説明するための第３図である。
【図４】本発明に係る二段ジブの固定装置の別の実施例において、先端ジブを伸長した状態で固定する際の作動を説明するための図である。
【図５】二段ジブの固定装置において、先端ジブを格納した状態で固定する際の作動を説明するための図である。
【図６】図４に示す二段ジブの固定装置において、先端ジブを格納した状態で固定する際の作動を説明するための図である。
【図７】従来の二段ジブの固定装置によって、ジブを伸長して固定するときの様子を示す図である。
【符号の説明】
１０      ブーム
２０      二段ジブ
３０      先端ジブ
３１      ピン孔
４０      基端ジブ
４１      ピン孔
５０      ピン
１００      レバー
１１０      コントロールケーブル
１２０      差し込み部
１２１      クリック取付板
１２２      ピン
１２３      クリック
１２４      クリックの突起部
１２５      ピン
１２６      差し込み棒取付板
１２７      差し込み棒支持部
１２８      差し込み棒
１２９      スプリング
１３０      切欠部
１４０      基端ブーム先端側の受け部
１４１      止め金
１４２      側板
１４３      案内板
１５０      表示器
１５１      突起部
１５２      ピン
１５３      板
１５４      ピン
１５５      ピン
１５６      表示板
１５７      スプリング
１６０      差し込み部（実施例２）
１６１      取付板
１６２      差し込み棒
１６３      差し込み棒先端部
１６４      スプリング
１７０      基端ブーム先端側の受け部（実施例２）
１７１      孔
１８０      基端ブーム後端側の受け部（実施例３）
１８１      鍵状突起
１９０      基端ブーム後ろ端側の受け部（実施例４）
１９１      孔
【図１】
0004189892.tif 000002
【図２】
0004189892.tif 000003
【図３】
0004189892.tif 000004
【図４】
0004189892.tif 000005
【図５】
0004189892.tif 000006
【図６】
0004189892.tif 000007
【図７】
0004189892.tif 000008